(57)【要約】【課題】強度的にもデザイン性にも優れ、洗浄性能も向上させる攪拌翼を提供すること。【解決手段】攪拌翼１８の上面に放射状に突設された複数の水流形成リブ２８と、隣接する水流形成リブ２８の間に水流形成リブ２８の略半分の長さにて外周側に放射状に突設された複数の補助リブ２９とを備え、水流形成リブ２８と補助リブ２９との間にステンレス材薄板からなるプレート３１をインサート成形により埋設し、プレート３１には、複数のそれぞれが独立した六角錘状の凸部４０を突設し、隣接する凸部４０の間とプレート３１の外周側には、複数の貫通する孔部４２を形成することにより、強度的にもデザイン性にも優れ、洗浄性能も向上させることができる。【選択図】図２
2015223193.tif 000002
【特許請求の範囲】
【請求項１】
中央底部に攪拌翼を回転自在に配した洗濯兼脱水槽と、本体内部に防振支持され、前記洗濯兼脱水槽を回転自在に内包する水槽と、前記攪拌翼や前記洗濯兼脱水槽を回転駆動するモータとを備え、前記攪拌翼の上面には、複数のリブを放射状に突設し、前記リブ間にステンレス材の薄板からなるプレートをインサート成形により埋設した洗濯機。
【請求項２】
リブは、攪拌翼の上面に放射状に突設された複数の水流形成リブと、隣接する水流形成リブの間に水流形成リブより短い長さに放射状に突設された複数の補助リブとからなり、水流形成リブと補助リブとの間にプレートをインサート成形した請求項１に記載の洗濯機。
【請求項３】
プレートには、複数のそれぞれが独立した六角錘状の凸部を突設した請求項１または２に記載の洗濯機。
【請求項４】
プレートは、外周側に平坦部を形成し、その前記平坦部の外周側に湾曲部を形成し、前記湾曲部をインサート成形により攪拌翼に埋設した請求項１から３のいずれか１項に記載の洗濯機。
【発明の詳細な説明】
【技術分野】
【０００１】
本発明は、洗濯兼脱水槽槽の内底部に配設された攪拌翼にて洗濯物を洗う洗濯機に関するものである。
【背景技術】
【０００２】
従来、この種の洗濯機は、攪拌翼により回転水流を発生させて、洗濯物を効率的に洗う構成が提案されている（例えば、特許文献１参照）。
【０００３】
図６は、特許文献１に記載された従来の洗濯機の攪拌翼の外観斜視図である。
【０００４】
図６において、洗濯兼脱水槽（図示せず）の内底部に回転自在に配設された円盤状の攪拌翼７０の表面は、周縁部７０ａに対して中心に行くほど深くなる盆状に形成されている。攪拌翼７０の表面には、放射状に配される４つの羽根部７１が突出して形成されている。また、羽根部７１に対して周方向に隣接する凹部７２が設けられている。
【０００５】
羽根部７１の上面には、攪拌翼７０の径方向に延びる複数のリブ７３ａが周方向に並設されている。外周側のリブ７３ａの間隔が内周側よりも狭く形成されている。また、凹部７２の上面には、攪拌翼７０の周方向に延びる複数のリブ７３ｂが径方向に並設されている。リブ７３ｂは、回転中心を中心とする円弧に対して湾曲し、羽根部７１に近い位置で回転中心からの距離が小さく、離れた位置で回転中心からの距離が大きくなっている。羽根部７１に近い位置のリブ７３ｂの間隔が離れた位置よりも狭く形成されている。
【０００６】
以上の構成にて、洗濯物の攪拌時に、流体の攪拌翼７０表面に対する作用を均質化して、消費電力を抑えつつ、洗浄効果を上げるようになっている。
【先行技術文献】
【特許文献】
【０００７】
【特許文献１】特開２０１３−１３５１０号公報
【発明の概要】
【発明が解決しようとする課題】
【０００８】
しかしながら、前記従来の構成では、攪拌翼は、一体成形された樹脂により構成されているため、洗濯物が多い場合や洗濯水の水温が高い場合などには、洗濯物と洗濯水の重量により攪拌翼が変形し、攪拌翼の底面と洗濯兼脱水槽との隙間が狭くなり、著しい場合には、攪拌翼の底面と洗濯兼脱水槽に接触し、攪拌翼や洗濯兼脱水槽が破損する虞があるという課題があった。
【０００９】
本発明は、前記従来の課題を解決するもので、攪拌翼の強度を向上し、洗浄性能も向上させた洗濯機を提供することを目的とする。
【課題を解決するための手段】
【００１０】
前記従来の課題を解決するために、本発明の洗濯機は、中央底部に攪拌翼を回転自在に配した洗濯兼脱水槽と、本体内部に防振支持され、前記洗濯兼脱水槽を回転自在に内包する水槽と、前記攪拌翼や前記洗濯兼脱水槽を回転駆動するモータとを備え、前記攪拌翼の上面には、複数のリブを放射状に突設し、前記リブ間にステンレス材の薄板からなるプレートをインサート成形により埋設したものである。
【発明の効果】
【００１１】
本発明の洗濯機は、攪拌翼の強度を向上でき、洗浄性能も向上させることができる。
【図面の簡単な説明】
【００１２】
【図１】本発明の実施の形態における洗濯機の縦断面図
【図２】同洗濯機の攪拌翼の平面図
【図３】同洗濯機の攪拌翼の縦断面図
【図４】同洗濯機の攪拌翼の外観斜視図
【図５】同洗濯機の攪拌翼の要部拡大断面図
【図６】従来の洗濯機の攪拌翼の外観斜視図
【発明を実施するための形態】
【００１３】
第１の発明は、中央底部に攪拌翼を回転自在に配した洗濯兼脱水槽と、本体内部に防振支持され、前記洗濯兼脱水槽を回転自在に内包する水槽と、前記攪拌翼や前記洗濯兼脱水槽を回転駆動するモータとを備え、前記攪拌翼の上面には、複数のリブを放射状に突設し、前記リブ間にステンレス材の薄板からなるプレートをインサート成形により埋設したものである。
【００１４】
これにより、攪拌翼の強度的にも優れ、洗浄性能も向上させた洗濯機を実現することができる。
【００１５】
第２の発明は、第１の発明において、リブは、攪拌翼の上面に放射状に突設された複数の水流形成リブと、隣接する水流形成リブの間に水流形成リブより短い長さに放射状に突設された複数の補助リブとからなり、水流形成リブと補助リブとの間にプレートをインサート成形したことにより、攪拌翼の強度にも優れ、洗浄性能も向上させることができる。
【００１６】
第３の発明は、第１の発明または第２の発明において、プレートには、複数のそれぞれが独立した六角錘状の凸部を突設したことにより、洗濯性能を向上することができる。
【００１７】
第４の発明は、第１から第３の発明において、プレートは、外周側に平坦部を形成し、その前記平坦部の外周側に湾曲部を形成し、前記湾曲部をインサート成形により攪拌翼に埋設したことにより、強固に固定でき、熱による影響を受けにくく、強度的に優れたものにすることができる。
【００１８】
以下、本発明の実施の形態について、図面を参照しながら説明する。また、この実施の形態によって本発明が限定されるものではない。
【００１９】
（実施の形態１）
図１は、本発明の実施の形態における洗濯機の縦断面図を示すものである。
【００２０】
図１において、本体１１は、複数のサスペンション１２により水槽１３をその内部に懸垂防振支持している。洗濯・脱水軸１４は中空で２軸構造としている。洗濯兼脱水槽１５は側壁に多数の脱水孔（図示せず）を有するとともに、内周の上部に振動低減用の流体バランサ１７を有し、中央内底部には攪拌翼１８が配設されている。そして、攪拌翼１８の上面には、衣類を撹拌するための水流形成リブ２８、補助リブ２９が突設されている。なお、攪拌翼１８については、図２から図５に基づいて以降に詳述する。
【００２１】
伝達機構部１９は、内部に洗濯時の減速ギア（図示せず）および洗濯・脱水軸１４の切り換えクラッチ（図示せず）と、脱水時に洗濯兼脱水槽１５を停止するためのブレーキ（図示せず）を内蔵している。
【００２２】
モータ２０は、水槽１３の底部に取り付けられ、その動力を洗濯・脱水軸１４に伝達し、攪拌翼１８、及び洗濯兼脱水槽１５を回転させる。
【００２３】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。
【００２４】
上部枠体２４の前部には、各種の入力設定を行ない、設定内容を表示する操作表示部４３を配設している。そして、操作表示部４３の内方には、モータ２０等を制御し、洗い、すすぎ、脱水の一連の行程を逐次制御する制御手段（図示せず）を有する制御装置２７を配し、後方側の内部には、電磁力により開閉可能な給水弁４１を配設している。
【００２５】
図２は、本発明の実施の形態における洗濯機の攪拌翼の平面図、図３は、同攪拌翼の縦断面図、図４は、同攪拌翼の外観斜視図、図５は、同攪拌翼の要部拡大断面図である。
【００２６】
図２、図３、図４、図５において、攪拌翼１８は、上面中央部から外周部に向かって放射状に複数の水流形成リブ２８が突設されており、また、この水流形成リブ２８の間の外周側には、放射状に、かつ、その長さが水流形成リブ２８の略半分の短い補助リブ２９が突設されている。そして、水流形成リブ２８と補助リブ２９との間に、絞り加工を施したステンレス材の薄板からなるプレート３１がインサート成形されている。
【００２７】
ここで、攪拌翼１８のプレート３１が位置する部分は開口部４４となっており、プレート３１の外周部にインサート成形時の金型での押え部となる平坦部４５を設け、その更に外周側に湾曲部４６を形成して、その湾曲部４６が攪拌翼１８にインサート成形により埋設されている。
【００２８】
また、プレート３１には、複数のそれぞれが独立した六角錘状の凸部４０が突設されており、隣接する凸部４０の間とプレート３１の外周側には、複数の貫通する孔部４２が形成されている。
【００２９】
以上のように構成した洗濯機について、以下、その動作、作用を説明する。
【００３０】
使用者が、洗濯兼脱水槽１５に洗濯物と洗剤を投入した後、操作表示部４３にて運転コースを選択し、スタートスイッチ(図示せず)をＯＮすると、制御手段は、給水弁４１を開き、洗濯兼脱水槽１５に給水を行なう。そして、所定の水位まで給水されると、給水は停止し、モータ２０が回転し、その動力が洗濯・脱水軸１４を経由し、攪拌翼１８に伝達され、洗い行程が始まる。
【００３１】
この時、攪拌翼１８には、洗濯物と洗濯水の重量が印加されており、特に水流形成リブ２８と補助リブ２９の間の部分には、突設された形状がないので、強度的に弱い部分となるが、複数の凸部４０が突設されたステンレス材の薄板からなるプレート３１がインサート成形されているので、強度的に優れており、変形などが生じることはない。
【００３２】
攪拌翼１８が正、逆回転すると、水流形成リブ２８と補助リブ２９により、回転水流とともに、洗濯兼脱水槽１５の内壁面に沿った強い上昇水流が発生する。また、プレート３１の六角錘状の凸部４０により、水流形成リブ２８と補助リブ２９との間で渦巻水流が発生するとともに、孔部４２からも水流が吹き出すので、水流形成リブ２８と補助リブ２９による水流と合わせて強い水流となって、洗濯物を攪拌して洗浄が行われる。
【００３３】
また、ステンレス材のプレート３１の凸部４０は、六角錘状であるために、日光が反射してきらめくので、デザイン的にも優れている。
【００３４】
また、プレート３１の外周に形成した湾曲部４６を攪拌翼１８の樹脂部にインサート成形により埋設しているので、強固に固定されて、熱による影響を受けにくい。
【００３５】
以上のように、本実施の形態においては、水流形成リブ２８と補助リブ２９との間にステンレス材の薄板からなるプレート３１をインサート成形により埋設し、プレート３１には、複数のそれぞれが独立した六角錘状の凸部４０を突設し、隣接する凸部４０の間とプレート３１の外周側には、複数の貫通する孔部４２を形成することにより、強度的にもデザイン性にも優れ、洗浄性能も向上させることができる。
【００３６】
また、プレート３１は、外周側全周に平坦部４５を形成し、その更に外周側の端部に下方へ垂れた湾曲部４６を形成し、その湾曲部４６をインサート成形により攪拌翼１８の樹脂部に埋設させることにより、プレート３１は、攪拌翼１８に強固に固定され、熱の影響を受けて変形したりすることはなく、強度的に優れている。
【産業上の利用可能性】
【００３７】
以上のように、本発明にかかる洗濯機は、攪拌翼に絞り加工を施したステンレス材のプレートをインサート成形することにより、強度的にもデザイン性にも優れ、洗浄性能も向上させることが可能となるので、攪拌翼を有する他の洗濯機の洗濯機の用途に適用できる。
【符号の説明】
【００３８】
１１  本体
１３  水槽
１５  洗濯兼脱水槽
１８  攪拌翼
２０  モータ
２４  上部枠体
２８  水流形成リブ
２９  補助リブ
３１  プレート
４０  凸部
４１  給水弁
４２  孔部
４５  平坦部
４６  湾曲部
【図１】
2015223193.tif 000003
【図２】
2015223193.tif 000004
【図３】
2015223193.tif 000005
【図４】
2015223193.tif 000006
【図５】
2015223193.tif 000007
【図６】
2015223193.tif 000008